(57)【要約】【課題】  地域の活性化につながる地域が持つ文化力が、一見、文化的な資源が何もないと思われがちな地域においても、潜在的な地域文化力として存在し、他の地域の人々の魅力となりうることを示すツールを提供する。【解決手段】  文化の人々依存性に注目し、「ものがあっても人々がいなければ文化はない。ものがなくても人々がいれば文化はある」との考えに基づき、地域に住む人々の人的ネットワークのあり様に見られる行動様式から地域文化力を抽出する。そのようにして抽出された地域文化力を、ＧＩＳ地理情報システムを利用した空間情報の人間関係ネットワーク・マップとして表現する。そのように地域文化力を抽出し表現することで、潜在的な地域文化力を地域活性につながる地域の魅力として示せる。【選択図】  なし【特許請求の範囲】
【請求項１】
地域文化力は、そこに住む人々の人的ネットワークのあり様に見られる人々の行動様式、つまり、人々の活動範囲の集合である人間関係ネットワークとして抽出することで、どの地域にも、他の地域とは異なる地域文化力が必ずあり、一見、何もないと思われる地域においても潜在的な地域文化力を示せること。
【請求項２】
人間関係ネットワークから抽出する地域文化力が、ＧＩＳ（Ｇｅｏｇｒａｐｈｉｃ  Ｉｎｆｏｒｍａｔｉｏｎ  Ｓｙｓｔｅｍ）を利用した人々の集合的な活動範囲の空間情報として、地域全体について総合的に表現できるとともに、地域内での錯綜する文化力のあり様を詳細に表現でき、地域の潜在的な文化力を視覚的に示せること。
【発明の詳細な説明】
【技術分野】
【０００１】  本発明は、地域の活性化につながるような地域が持つ文化力を、空間情報として示すために、地域文化力を抽出して表現する手法に関するものである。
【背景技術】
【０００２】  今日、文化力による地域活性化の国土施策の可能性が注目されている。地域活性化をハードのインフラ整備によって実現しようとする従来の施策に限界が見られることから、地域が持つ文化力のようなソフトな側面からの地域活性化の実現が模索されている。【０００３】  地域の活性化につながる経済的効果および社会的効果をもたらす文化力が地域にはあるだろう。そのような文化の力は、一目でわかるものとはかぎらない潜在的なものも多い。潜在的などのような文化力があるかを知ることは、地域社会の政策を考えるうえで重要である。言い換えれば、経済的、社会的効果をもたらす地域の文化力を、どのように抽出し表現することができるか、その手法の開発が地域の活性化を図るための基盤となる。【０００４】  地域の文化を考えるとき、ともすれば、文化財、芸能、芸術など、具体的なものをイメージしがちである。したがって、具体的なものから生じる文化力に注目することが多い。しかしここでは、一見、何もないと思われがちな地域にもその地域固有の文化力があり、そのような潜在的な地域文化にも広く他の地域の人々を惹きつける力があると考える。「ものがあっても人々がいなければ文化はない。ものがなくても人々がいれば文化はある」との考えから、ものより人々に依存するという意味での、文化の人々依存性を重視することで、広くさまざまな地域での文化力を捉えることが可能となる。その地域にあるものに依存する文化へのアプローチはこれまでにもいろいろある。しかし、その地域に住む人々に依存する文化を、地域の力として、総合的に示せる手法は未だない。地域の文化に関わる人材を個々に探すアプローチはこれまでにもあるが、人々の集合そのものに文化力を求めるアプローチはほとんどない。本発明は、地域活性化の基盤になりうるそのような人々依存の潜在的な文化を、地域文化力として示すための技術である。
【発明の開示】
【発明が解決しようとする課題】
【０００５】  解決しようとする課題は、地域活性化につながる文化力の存在が、ともすれば分かりやすい文化的な資源がある一部の地域に限られる傾向になるのを打破することである。一見、何もないと思われがちな地域にもその地域固有の文化力があり、どの地域にも、他の地域の人々を惹きつける地域文化力があることを示すことで、文化力による国土施策の新たな視点を提供できる。それによって、広くさまざまな地域での文化力による地域づくりの促進のための施策の展開が可能になるだろう。
【課題を解決するための手段】
【０００６】  どの地域にも潜在的な地域文化力があることを示すために、もの依存的な地域文化への見方を、人々依存的な地域文化の見方へと変えて、それに基づく地域文化力の抽出と表現の手法を開発することが、課題解決の手段である。文化力の存在が一部の地域に限られがちになる問題を解決するためのこの手段は、「人々がいることで、そこに必ず文化がある」との捉え方に基づく。ある地域の人々がどのような人的な関係での活動を行っているか、そのような行動様式を示す人的なネットワークは、どの地域にも必ず存在する。そこに見られる人々の考え方、感じ方、行動の仕方に見られるその地域の魅力を、地域文化力として抽出して表現できれば、地域活性につながる地域の魅力を、どの地域においても示すことが可能となる。【０００７】  そこに行ってみたい、もしくは住んでみたいと思う地域の魅力となる人的なネットワークは、一つとは限らない。様々な伝統的な地域社会の人的ネットワークもあれば、趣味のグループのような様々な人的ネットワークもある。それらが錯綜して、全体として人々依存の地域文化力を形成している。本発明は、そのような人的ネットワークのあり様から地域文化力を抽出し、ＧＩＳ（Ｇｅｏｇｒａｐｈｉｃ  Ｉｎｆｏｒｍａｔｉｏｎ  Ｓｙｓｔｅｍ）地理情報システムを利用する空間情報として地域文化力を表現する手法を開発し、課題を解決するための手段とした。
【発明の効果】
【０００８】  本発明の効果は、どの地域においても、地域文化力の存在を明らかにできることである。錯綜する人的ネットワークは、一見、見えにくいが潜在的な地域の魅力であり、その魅力は地域固有の様々な様相を呈する。そこで示される地域間の相対的な違いから、それぞれの地域の文化力の特徴を捉えられる。本発明によって、その特徴を空間情報として詳細に知ることができることが具体的な効果であり、そこから、地域文化力による地域活性化施策の展開を考えることができる。
【発明を実施するための最良の形態】
【０００９】  地域文化力を、人々の考え方、感じ方、行動の仕方に見られるその地域の魅力と捉えて、地域文化力を目に見えるかたちで示すことに、本発明の特徴がある。人々の考え方、感じ方、行動の仕方に見られる人々の行動様式、つまり、そこに表れる文化を明らかにするには、地域の人々のネットワークのあり様を抽出するのは一つの方法である。本発明は、そのような人間関係ネットワークを空間情報のマップで表現する形態を採用した。人間関係ネットワークは、社会関係資本と呼ばれる人的な社会資本として今日注目されるものとも関わり、地域資源としての社会関係資本の理論はこの発明の根拠となっている。
【実施例１】
【００１０】  人間関係ネットワーク・マップが、この発明の中心をなす。それは、地域の人々の行動様式を、錯綜する人間関係のネットワークとして図示するものである。伝統的な地域コミュニティのネットワーク、たとえば、氏子や入会組合の集合範囲や、今日の地域コミュニティのネットワーク、たとえばテニスクラブの会員やボランティアの集合範囲などを、ＧＩＳを用いた空間情報として、地域文化力の特徴を視覚的に示すことができる。この人間関係ネットワーク・マップにより、人々依存の視点からの地域文化力の地域全体でのあり様を、総合的に示せるとともに、その地域内での地域文化力のあり様の特徴をも知ることができる。【００１１】  人間関係ネットワークで抽出される地域文化力は、人的ネットワークとの関わりのある地物、たとえば、氏子での神社・祭りあるいは入会組織での入会地、およびテニスクラブでのコートあるいはボランティア活動の施設などの位置をも知ることで、その地域文化力の内容をより明らかにできる。また、人的ネットワークと関わりのある社会的区割り、たとえば行政区画や土地利用区なども、地域の人々の行動様式との関わりで、地域文化力の内容をより明らかにできる情報となりうる。本発明が開発した地域文化力を抽出して表現する手法は、そのような地物マップと社会的区割りマップと人間関係ネットワーク・マップで構成されており、人間関係ネットワーク・マップがどのようであるかを、地物マップもしくは社会的区割りマップとの関係をも考慮しつつ明らかにすることで、潜在的な地域文化力の存在を示すものである。
【産業上の利用可能性】
【００１２】  本発明による地域文化力の抽出と表現の手法は、地域の人々の集合のあり様が示す行動様式から、その地域の魅力を示そうとするものであり、地域活性化施策を求める地方自治体でのニーズに合致する。それに関わるコンサルティングやシンクタンク企業が、地方自治体からの地域活性関係の受託業務の遂行におけるその一部の技法として、本発明の手法が産業上で利用される可能性は高いといえる。